(57)【要約】【課題】本考案は、容易に電気供給板に取り付けでき且つ容易に電気供給板から取り外しできることを特徴とするLEDの構造を提案する。【解決手段】本考案の提供する一種のLED構造は、容易に電気供給板に取り付けでき且つ容易に電気供給板から取り外しできる。本考案のLED構造は、第一導電体と第一絶縁体と第二導電体を重ね合わせ、第一導電体の導電凸出部を第一絶縁体及び第二導電体に貫通させると導電部が露出し、LEDを導電部に取り付け、並びに第二導電体に電気接続する。これにより、本考案のLED構造を電気供給板上に取り付ける場合は電極の正負を考慮する必要がなく、組み立てが簡単で簡単に電気供給板上から取り外すことができる。【選択図】図１
0003139792.tif 000002
【実用新案登録請求の範囲】
【請求項１】
一つの第一導電体と一つの第一絶縁体と一つの第二導電体と一つのLEDを含むLED構造において、
該第一導電体は、導電凸出部を備え、
該第一絶縁体は、絶縁嵌設部を備え、該第一絶縁体は第一導電体に設置して該絶縁嵌設部は導電凸出部に嵌設し、並びに、該導電凸出部は導電部を露出し、
該第二導電体は、貫通孔を備え、該第二導電体は第一絶縁体に設置して該絶縁嵌設部を該貫通孔に貫通させ、該第二導電体は該第一絶縁体によって該第一導電体と電気隔離し、
該LEDは、該導電部に設置し、該LEDは最低一つの第一電極及び最低一つの第二電極を備え、該第一電極は該導電部に電気接続し、該第二電極は該第二導電体に電気接続することを特徴とするLEDの構造。
【請求項２】
前記第一電極をLED下方に設け該導電部に電気接続させ、第二電極をLED周囲に設けて第二導電体に電気接続させることを特徴とする請求項１に記載のLEDの構造。
【請求項３】
前記LED構造は更に一つの第二絶縁体を含み、それはLEDと導電部の間に設け、第一電極及び第二電極をLED周囲に設け、該第一電極は導電部に電気接続し、該第二電極は第二導電体に電気接続することを特徴とする請求項１に記載のLEDの構造。
【請求項４】
前記LED構造は、更に導光カバーを含み、該導光カバーはLEDと第一電極と第二電極を被冠することを特徴とする請求項１に記載のLEDの構造。
【請求項５】
前記導光カバーは半球体状または矩形体状であることを特徴とする請求項４記載のLEDの構造。
【請求項６】
前記LED構造は、更に電気供給板を含み、それは、一つの第一導電層板と一つの絶縁層板と一つの第二導電層板と一つの上導電被冠板を含むもので、該絶縁層板は第一導電層板に設け、第二導電層板は該絶縁層板に設け、該上導電被冠板には穿孔を設け、該第二導電層板には上開口を設け、該絶縁層板には配置エリアを設け、該LED構造は、上開口を経て配置エリアに配置され、該第一導電体は第一導電層板に電気接触し、該上導電被冠板は上開口に設置することにより該第二導電体は該上導電被冠板に電気接触し、並びに該導光カバーは該穿孔から外側に露出されることを特徴とする請求項４に記載のLEDの構造。
【請求項７】
前記LED構造は、更に電気供給板を含み、それは、一つの導電層板と一つの絶縁層板と一つの第二導電層板と一つの下導電被冠板を含んでおり、該絶縁層板は該第一導電層板に設け、該第二導電層板は該絶縁層板に設け、該第一導電層板には一つの下開口を設け、該第二導電層板には一つの穿孔を設け、該絶縁層板には一つの配置エリアを設け、該LED構造は、下開口を経て配置エリアに配置されると導光カバーは該穿孔から外側に露出し、該第二導電体は該第二導電層板に電気接触し、該下導電被冠板を下開口に設置すると第一導電体が該下導電被冠板に電気接触することを特徴とする請求項４に記載のLEDの構造。
【請求項８】
前記LED構造は、更に電気供給板を含み、それは、一つの第一導電層板と一つの絶縁層板と一つの第二導電層板を含むものであり、該絶縁層板は該第一導電層板に設け、該第二導電層板は該絶縁層板に設け、該絶縁層板には一つの配置エリアを設け、該第二導電層板には一つの第一開口を設け、該第一開口の両側のそれぞれには内側に収縮している一つの第二開口を連結し、該LED構造は、該第一開口を経て配置エリアに入れ、更に該第二開口方向に移動させて配置エリアに固設すると、第一導電体が第一導電層板に電気接触し、第二導電体が第二導電層板に電気接触し、該導光カバーは第二開口から外側に露出することを特徴とする請求項４に記載のLEDの構造。
【請求項９】
前記第一導電層板に設けた導電弾力片は該第一導電体と第一導電層板間に位置することを特徴とする請求項８に記載のLEDの構造。
【請求項１０】
前記LED構造は、更に電気供給板を含み、それは、一つの第一導電層板と一つの絶縁層板と一つの第二導電層板を含むものであり、該絶縁層板は該第一導電層板に設置し、該第二導電層板は該絶縁層板に設置し、該絶縁層板には一つの配置エリアを設け、該第二導電層板には一つの開口を設け、該LED構造は該開口を経て該配置エリアに入れてから回転させることにより、該LED構造を該配置エリアに固設し、並びに、該第一導電体が該第一導電層板に電気接触し、該第二導電体が該第二導電層板に電気接触し、該導光カバーは該開口から外側に露出することを特徴とする請求項４に記載のLEDの構造。
【請求項１１】
前記第一導電層板に設けた一つの導電弾力片は該第一導電体と該第一導電層板間に位置することを特徴とする請求項１０に記載のLEDの構造。
【請求項１２】
前記LED構造は、更に一つの電気供給板を含み、それは、一つの第一導電層板と一つの絶縁層板と一つの第二導電層板を含むものであり、該絶縁層板は該第一導電層板に設置し、該第二導電層板は該絶縁層板に設置し、該絶縁層板には配置エリアを設け、該第二導電層板には一つの開口を設け、該開口の周囲には複数の弾性導電端子を設け、該LED構造を該開口から該配置エリアに入れ該弾性導電端子を内側に収縮させると、該第一導電体が該第一導電層板に電気接触し、その後、該弾性導電端子は弾力で跳び出し該第二導電体に電気接触し、並びに、LED構造を該配置エリアに固設し、該導光カバーは該開口から外側に露出することを特徴とする請求項４に記載のLEDの構造。
【請求項１３】
前記第一導電層板に設けた一つの導電弾力片は、該第一導電体と該第一導電層板間に位置することを特徴とする請求項１２に記載のLEDの構造。
【請求項１４】
前記LED構造は、更に一つの電気供給板を含み、それは、一つの第一導電層板と一つの絶縁層板と一つの第二導電層板を含むものであり、該絶縁層板は該第一導電層板に設置し、該第二導電層板には一つの開口を設け、該絶縁層板には一つの配置エリアを設け、該LED構造は該配置エリアに設けて該第一導電体を該第一導電層板に電気接触させ、該第二導電層板は該絶縁層板に設けて該導光カバーを該開口から外側に露出させ、並びに、該第二導電体は該第二導電層板に電気接触させ、且つ、該LED構造を該配置エリアに固設することを特徴とする請求項４に記載のLEDの構造。
【請求項１５】
該第一導電層板に設けた一つの導電弾力片は第一導電体と第一導電層板間に位置することを特徴とする請求項１４に記載のLEDの構造。
【考案の詳細な説明】
【技術分野】
【０００１】
本考案は、容易に電気供給板に取り付けられ、且つ、容易に電気供給板から取り外しできるLED構造に関するものである。
【背景技術】
【０００２】
LEDは構造が簡単、輝度が高い故、現在、例えば、戸外大型テレビスクリーン、戸外大型広告看板、車両ライト、懐中電灯等の広告や照明設備に広く応用されている。公知のLED構造は一長一短のピンを有し、それはそれぞれ異なる電極を示している。
【考案の開示】
【考案が解決しようとする課題】
【０００３】
しかし、公知のLEDを電気供給板上に取り付ける場合、電気供給板上の二つのピン挿入孔の電性が公知LEDの一長一短ピンの電性に符号するかどうかまず判別しなければならず、さもなければ、公知LEDを回転させて二つのピンの電性と二つのピン挿入孔の電性を符号させた後に二つのピンをそれぞれ二つのピン挿入孔にぴったり合わせてこそ、公知LEDを電気供給板上にスムーズに取り付けられる。よって組立て過程は非常に不便である。公知のLEDが故障した場合は、公知のLEDを電気供給板から取り外し、更に上述ステップを経て公知のLEDを電気供給板に取り付けなければならず、取り外し過程もまた非常に不便である。
【０００４】
この為、いかにLEDの改良構造を作り出し、LED構造を簡単に電気供給板に取り付けて簡単に電気供給板から取り外すかが、本考案の積極的に開示したい課題である。
【課題を解決するための手段】
【０００５】
上述した公知のLEDの欠点に鑑み、考案者はそれがまだ完璧でないことを感じ、克服すべく智恵を絞り専心研究を続け、該産業において多年に渡り累積した経験によって、ついにLEDの改良構造を開発した。これにより、LED構造を容易に電気供給板に取り付け且つ容易に電気供給板から取り外す目的を達成する。
【０００６】
本考案の主な目的は、一種のLED構造を提供することにある。それは、第一導電体と第一絶縁体と第二導電体を重ね合わせ、第一導電体の導電凸出部を第一絶縁体及び第二導電体に貫通させると導電部が露出し、LEDを導電部に取り付けて、第二導電体に電気接続することにより、LED構造を容易に電気供給板に取り付け且つ容易に電気供給板から取り外す目的を達成する。
【０００７】
前述目的を達成する為、本考案のLED構造において、一つの第一導電体は導電凸出部を備え、一つの第一絶縁体は絶縁嵌設部を備える。一つの第一絶縁体は第一導電体に設置して該絶縁嵌設部は導電凸出部に嵌設し、並びに、該導電凸出部は導電部を露出する。一つの第二導電体は、貫通孔を備え、該第二導電体は第一絶縁体に設置して該絶縁嵌設部を該貫通孔に貫通させ、該第二導電体は該第一絶縁体によって該第一導電体と電気隔離する。一つのLEDは、該導電部に設置し、該LEDは最低一つの第一電極及び最低一つの第二電極を備え、該第一電極は該導電部に電気接続し、該第二電極は該第二導電体に電気接続する。
【考案の効果】
【０００８】
本考案のLEDの構造は、容易に電気供給板に取り付けでき且つ容易に電気供給板から取り外しできることを特徴とする。
【考案を実施するための最良の形態】
【０００９】
本考案の目的、特徴、及び効果を十分に理解して戴く為に、後述の具体的な実施例及び添付図面により、本考案に詳細な説明を加える。説明は次のとおりである。
【００１０】
〔実施の形態１〕
〔実施例１及び実施例２〕
図１から図４にはそれぞれ、本考案の実施例１の立体分解図及び立体組立図、実施例２の立体組立図及び側面断面図を示す。図に示すとおり、本考案のLED構造は、第一導電体１と、第二導電体２と、第一絶縁体３と、LED４とを含む。その内の該第一導電体１は導電凸出部１１を備え、該導電凸出部１１は円柱状を成し、第一絶縁体３は絶縁嵌設部３１を含み、該絶縁嵌設部３１は中空円柱状を成し、第一絶縁体３は第一導電体１に設け中空円柱状の絶縁嵌設部３１を円柱状の導電凸出部１１に嵌設し、並びに、導電凸出部１１の導電部１１１を露出させる。第二導電体２は貫通孔２１を備え、第二導電体２は第一絶縁体３に設け、中空円柱状の絶縁嵌設部３１は貫通孔２１を貫き、第二導電体２は第一絶縁体３によって第一導電体１と電気隔離する。LED４は導電部１１１に設け、LED４下方に設けた第一電極４１が導電部１１１に電気接触しており、LED４周囲に設けた四つの第二電極４２は第二導電体２に電気接続し、第二電極４２の数量を増加して導電量を増やしている他、該第二電極４２によって放熱される。また、本考案のLED構造は更に、導光カバー６を含むことも可能である。導光カバー６は半球体状であり、導光カバー６はLED４と一つの第一電極４１と四つの第二電極４２を被冠し、導光カバー６は外界環境によるLED４と一つの第一電極４１と四つの第二電極４２の損傷を防ぎ、且つ、導光カバー６はLED４が生じる光線を集めたり発散させたりする。第一絶縁体３を第一導電体１に設置し、第二導電体２を第一絶縁体３に設置した後、一つの本体５が形成され、本体５は方柱状を成す。
【００１１】
〔実施例３〕
図５は本考案の実施例３に関する立体組立図である。図に示すとおり、導光カバー６は矩形体状を成す。
【００１２】
〔実施例４〕
図６及び図７はそれぞれ、本考案の実施例４に関する立体組立図及び側面断面図である。図に示すとおり、本考案のLED構造は更に、第二絶縁体４３を含むことも可能である。第二絶縁体４３はLED４と導電部１１１間に設け、二つの第一電極４４及び二つの第二電極４２をLED４周囲に設け、二つの第一電極４４は導電部１１１に電気接続し、二つの第二電極４２は第二導電体２に電気接続する。第一電極４４及び第二電極４２の数量を増加して導電量を向上させている他、第一電極４４及び第二電極４２によって放熱される。
【００１３】
〔実施の形態２〕
〔実施例５〕
図８及び図９はそれぞれ、本考案の実施例５に関する立体分解図及び側面断面図である。図に示すとおり、本考案のLED構造は更に電気供給板７を含むことも可能である。電気供給板７は第一導電層板７１と絶縁層板７３と第二導電層板７２と上導電被冠板８を含む。絶縁層板７３は第一導電層板７１に設け、第二導電層板７２は絶縁層板７３に設け、上導電被冠板８には穿孔８１を設け、第二導電層板７２には上開口７４１を設け、絶縁層板７３には配置エリア７４を設ける。LED構造は、上開口７４１から配置エリア７４に配置することにより、第一導電体１を第一導電層板７１に電気接触させ、上導電被冠板８が上開口７４１に螺合すると第二導電体２は上導電被冠板８に電気接触し、並びに導光カバー６を穿孔８１に露出させる。
【００１４】
〔実施例６〕
図１０及び図１１はそれぞれ、本考案の実施例６に関する立体分解図及び側面断面図である。図に示すとおり、本考案のLED構造は更に電気供給板７を含むことも可能である。電気供給板７は第一導電層板７１と絶縁層板７３と第二導電層板７２と下導電被冠板９を含む。絶縁層板７３は第一導電層板７１に設け、第二導電層板７２は絶縁層板７３に設け、第一導電層板７１には下開口７４３を設け、第二導電層板７２には穿孔７４２を設け、絶縁層板７３には配置エリア７４を設ける。LED構造は、下開口７４３から配置エリア７４に配置すると導光カバー６が穿孔７４２から外側に露出し、第二導電体２は第二導電層板７２に電気接触し、下導電被冠板９が下開口７４３に螺合すると第一導電体１は下導電被冠板９に電気接触する。
【００１５】
〔実施例７〕
図１２から図１４はそれぞれ、本考案の実施例７に関する立体分解図、立体組立図及び側面断面図である。図に示すとおり、本考案のLED構造は更に電気供給板７を含むことも可能である。電気供給板７は第一導電層板７１と絶縁層板７３と第二導電層板７２を含む。絶縁層板７３は第一導電層板７１に設け、第二導電層板７２は絶縁層板７３に設け、絶縁層板７３には配置エリア７３１を設け、第二導電層板７２には第一開口７２１を設け、第一開口７２１の両側のそれぞれには内側に収縮している第二開口７２２を連結する。LED構造は、第一開口７２１から配置エリア７３１に入れ、更に片方の第二開口７２２方向に移動させ配置エリア７３１に固設することにより、第一導電体１は第一導電層板７１に電気接触し、第二導電体２は第二導電層板７２に電気接触し、導光カバー６は第二開口７２２から外側に露出する。また、第一導電層板７１に設けた導電弾力片７１１は第一導電体１と第一導電層板７１間に位置しており、配置エリア７３１におけるLED構造を更に強固なものとしている。
【００１６】
〔実施例８〕
図１５から図１７はそれぞれ、本考案の実施例８に関する立体分解図、立体組立図及び側面断面図である。図に示すとおり、本考案のLED構造は更に電気供給板７を含むことが可能である。電気供給板７は第一導電層板７１と絶縁層板７３と第二導電層板７２を含む。絶縁層板７３は第一導電層板７１に設置し、第二導電層板７２は絶縁層板７３に設置し、絶縁層板７３には配置エリア７３２を設け、第二導電層板７２には開口７２３を設ける。LED構造は、開口７２３から配置エリア７３２に入れてから回転させると、LED構造が配置エリア７３２に固設され、並びに、第一導電体１が第一導電層板７１に電気接触し、第二導電体２が第二導電層板７２に電気接触し、導光カバー６は開口７２３から露出する。また、第一導電層板７１に設けた導電弾力片７１１は第一導電体１と第一導電層板７１間に位置しており、配置エリア７３２におけるLED構造を更に強固なものとしている。
【００１７】
〔実施例９〕
図１８から図２０はそれぞれ、本考案の実施例９に関する立体分解図、立体組立図及び側面断面図である。図に示すとおり、本考案のLED構造は更に電気供給板７を含むことが可能である。電気供給板７は第一導電層板７１と絶縁層板７３と第二導電層板７２を含む。絶縁層板７３は第一導電層板７１に設置し、第二導電層板７２は絶縁層板７３に設置し、絶縁層板には配置エリア７３２を設け、第二導電層板７２には開口７２３を設け、開口７２３の周囲には複数の弾性導電端子７２４を設ける。LED構造を開口７２３から配置エリア７３２に入れ弾性導電端子７２４を内側に収縮させると、第一導電体１が第一導電層板７１に電気接触する。その後、弾性導電端子７２４は弾力で跳び出し第二導電体２に電気接触し、並びに、LED構造を配置エリア７３２に固設させ、導光カバー６は開口７２３から外側に露出する。また、第一導電層板７１に設けた導電弾力片７１２は第一導電体１と第一導電層板７１の間に位置しており、配置エリア７３２におけるLED構造を更に強固なものとしている。
【００１８】
〔実施例１０〕
図２１から図２３はそれぞれ、本考案の実施例１０に関する立体分解図、立体組立図及び側面断面図である。図に示すとおり、本考案のLED構造は更に電気供給板７を含むことも可能である。電気供給板７は第一導電層板７１と絶縁層板７３と第二導電層板７２を含む。絶縁層板７３は第一導電層板７１に設置し、第二導電層板７２は絶縁層板７３に設置し、第二導電層板７２には開口７２３を設け、絶縁層板７３には配置エリア７３２を設ける。LED構造は配置エリア７３２に設けて、第一導電体１を第一導電層板７１に電気接触させ、第二導電層板７２を複数のネジ１０で絶縁層板７３に固設すると、導光カバー６は開口７２３から外側に露出し、並びに、第二導電体２を第二導電層板７２に電気接触させ、且つ、LED構造を配置エリア７３２に固設する。また、第一導電層板７１に設けた導電弾力片７１１は第一導電体１と第一導電層板７１間に位置しており、配置エリア７３２におけるLED構造を更に強固なものとしている。
【００１９】
上述の各実施例において、第一電極４１、第一電極４４と、第一導電体１の導電部１１１と、第一導電層板７１の電性は同様であり、正である（或いは負である）。第二電極４２と第二導電体２と第二導電層板７２の電性は同様であり、負である（或いは正である）。
【００２０】
本考案のLED構造を取り付ける場合は電極の正負を考慮する必要がなく、LED構造を電気供給板の配置エリアに入れ固定するだけでよく組み立てが簡単で、同様に、取り外しの過程もまた十分に簡単で時間を節約できる。
【００２１】
前述したとおり、本考案は完全に実用新案の新規性、進歩性、産業上の利用可能性という三条件に符合するものである。新規性と進歩性について言えば、本考案は、第一導電体と第一絶縁体と第二導電体を重ね合わせて、第一導電体の導電凸出部を第一絶縁体及び第二導電体に貫通させた後、導電部を露出させ、LEDを導電部に取り付け、並びに、第二導電体に電気接続させており、更にLED構造を容易に電気供給板に取り付け且つ容易に電気供給板から取り外す効果を達成する。また、産業利用可能性について言えば、本考案の関連製品は、充分に現在市場の要望を満たすことができるものである。
【図面の簡単な説明】
【００２２】
【図１】本考案の実施例１に関する立体分解図である。
【図２】本考案の実施例１に関する立体組立図である。
【図３】本考案の実施例２に関する立体組立図である。
【図４】本考案の実施例２に関する側面断面図である。
【図５】本考案の実施例３に関する立体組立図である。
【図６】本考案の実施例４に関する立体組立図である。
【図７】本考案の実施例４に関する側面断面図である。
【図８】本考案の実施例５に関する立体分解図である。
【図９】本考案の実施例５に関する立体分解図である。
【図１０】本考案の実施例６に関する立体分解図である。
【図１１】本考案の実施例６に関する立体分解図である。
【図１２】本考案の実施例７に関する立体分解図である。
【図１３】本考案の実施例７に関する立体分解図である。
【図１４】本考案の実施例７に関する立体分解図である。
【図１５】本考案の実施例８に関する立体分解図である。
【図１６】本考案の実施例８に関する立体分解図である。
【図１７】本考案の実施例８に関する立体分解図である。
【図１８】本考案の実施例９に関する立体分解図である。
【図１９】本考案の実施例９に関する立体分解図である。
【図２０】本考案の実施例９に関する立体分解図である。
【図２１】本考案の実施例１０に関する立体分解図である。
【図２２】本考案の実施例１０に関する立体分解図である。
【図２３】本考案の実施例１０に関する立体分解図である。
【符号の説明】
【００２３】
１      第一導電体
２      第二導電体
３      第一絶縁体
４      LED
５      本体
６      導光カバー
７      電気供給板
８      上導電被冠板
９      下導電被冠板
１０    ネジ
１１    導電凸出部
２１    貫通孔
３１    絶縁嵌設部
４１    第一電極
４２    第二電極
４３    第二絶縁体
４４    第一電極
７１    第一導電層板
７２    第二導電層板
７３    絶縁層板
７４    配置エリア
８１    穿孔
１１１  導電部
７１１  導電弾力片
７１２  導電弾力片
７２１  第一開口
７２２  第二開口
７２３  開口
７２４  弾性導電端子
７３１  配置エリア
７３２  配置エリア
７４１  上開口
７４２  穿孔
７４３  下開口
【図１】
0003139792.tif 000003
【図２】
0003139792.tif 000004
【図３】
0003139792.tif 000005
【図４】
0003139792.tif 000006
【図５】
0003139792.tif 000007
【図６】
0003139792.tif 000008
【図７】
0003139792.tif 000009
【図８】
0003139792.tif 000010
【図９】
0003139792.tif 000011
【図１０】
0003139792.tif 000012
【図１１】
0003139792.tif 000013
【図１２】
0003139792.tif 000014
【図１３】
0003139792.tif 000015
【図１４】
0003139792.tif 000016
【図１５】
0003139792.tif 000017
【図１６】
0003139792.tif 000018
【図１７】
0003139792.tif 000019
【図１８】
0003139792.tif 000020
【図１９】
0003139792.tif 000021
【図２０】
0003139792.tif 000022
【図２１】
0003139792.tif 000023
【図２２】
0003139792.tif 000024
【図２３】
0003139792.tif 000025